(57)【要約】【課題】  本発明の課題は、複数の送信部を用いて広域の可聴エリアを確保でき、可聴エリアにある受信部では鮮明な音声再生がなされる音声伝達装置を提供することにある。【解決手段】  音響機器Ｔからの音声信号を赤外線信号に変調して送信する送信装置１と、この送信装置１からの赤外線信号を受信し音声信号に復調して音声再生する受信装置２とからなる音声伝達装置であって、送信装置１は、電源ユニット３と変調ユニット４と赤外線発光ユニット５とを備え、赤外線発光ユニット５を変調ユニット４を中心に複数接続したものである。【選択図】図４
2006229796.tif 000002
【特許請求の範囲】
【請求項１】
音響機器からの音声信号を赤外線信号に変調して送信する送信手段と、該送信手段からの赤外線信号を受信し音声信号に復調して音声再生する受信手段とからなる音声伝達装置であって、
前記送信手段は、音声信号を赤外線信号に変調する変調ユニットと、赤外線信号を送信する赤外線発光ユニットとを備え、赤外線発光ユニットを前記変調ユニットに対して複数接続するとともに、各赤外線発光ユニットが変調ユニットを中心に配置したことを特徴とする音声伝達装置。
【請求項２】
前記変調ユニットは、音声信号と電源信号とを混合する機能を備え、前記赤外線発光ユニットは、音声信号と電源信号を分離する機能を備え、変調ユニットと赤外線発光ユニットとを単芯の同軸ケーブルで接続したことを特徴とする上記請求項１記載の音声伝達装置。
【請求項３】
前記赤外線発光ユニットは、天井や壁面等に設置され、その設置面以外の断面を略円形に形成した透明カバーと、該カバーの内面と所定の間隔を持たせて備えられる発光素子取付体とからなる発光部とを備え、該発光部における前記素子取付体の表面に、赤外線信号を発信する赤外線ＬＥＤ素子を、取付体表面に対して直角になるように取り付けたことを特徴とする上記請求項１又は２記載の音声伝達装置。
【請求項４】
前記赤外線ＬＥＤ素子を、前記素子取付体の断面長径部側を密に、断面短径部側を粗になるように取り付けたことを特徴とする上記請求項３記載の音声伝達装置。
【発明の詳細な説明】
【技術分野】
【０００１】
本発明は、テレビ等の音声を離れた位置で聴取する装置に関して、特に伝達媒体を赤外線として音声信号を伝達する音声伝達装置に関するものである。
【背景技術】
【０００２】
この種の装置として、本出願人は、登録実用新案第３０５３６８０号を提案している。この装置は、音響機器の音声信号を赤外線信号にて送信する送信部と、視聴者の近傍でこの赤外線信号を受信して音声再生する受信部とから構成されており、音響機器の音量を上げなくても機器から離れた位置で鮮明な音声を再生することができ、高齢者や補聴器利用者を中心に認知が高まっている。
【０００３】
また、このような赤外線信号による音声伝達装置を公共施設や病院等の待合室に採用したものが、特開平８−３０７９９９号で提案されている。この装置は、複数の赤外線発光素子を多面体もしくは球面の周面に配設した発光ユニットを、天井や壁面高所に設置して広域の聴取エリアを得られるようにしている。
【０００４】
さて、公共施設や病院等の待合室では、人の往来や障害物の存在によって赤外線信号が遮断されやすい環境にあり、待合室全体を聴取エリアにする場合には、発光ユニットを複数箇所に設置する必要がある。このとき、複数の発光ユニットでそれぞれ別々に音声信号を変調した場合、回路の変換誤差等によって各発光ユニットから送信される赤外線信号にずれが生じ、１つの空間の中に位相のずれた複数の音声信号が混在した状態となって、受信部でビートを起こし明瞭な音声再生ができないという問題がある。
【０００５】
また、１つの変調ユニットに複数の発光ユニットを接続すれば、ビートの問題は解決できるが、変調ユニットと発光ユニットを繋ぐケーブルが長くなると、ケーブルの引き回しが面倒になるとともに、高周波の減衰が起こってしまう問題があった。
【特許文献１】登録実用新案第３０５３６８０号
【特許文献２】特開平８−３０７９９９号
【発明の開示】
【発明が解決しようとする課題】
【０００６】
本発明が解決しようとする課題は、複数の発光ユニットを用いて広域の聴取エリアを確保する際、聴取エリアにある受信部で鮮明な音声再生がなされる音声伝達装置を提供することにある。
【課題を解決するための手段】
【０００７】
本発明は上記課題を解決するために、音響機器からの音声信号を赤外線信号に変調して送信する送信手段と、該送信手段からの赤外線信号を受信し音声信号に復調して音声再生する受信手段とからなる音声伝達装置であって、前記送信手段は、電源ユニットと変調ユニットと赤外線発光ユニットとを備え、前記赤外線発光ユニットを変調ユニットを中心に複数接続したものである。
【０００８】
前記変調ユニットは、音声信号と電源信号とを混合する機能を備え、前記赤外線発光ユニットは、音声信号と電源信号を分離する機能を備え、変調ユニットと赤外線発光ユニットとを単芯の同軸ケーブルで接続したものである。
【０００９】
前記赤外線発光ユニットは、天井や壁面等に設置され、その設置面以外の断面を略円形に形成した透明カバーと、該カバーの内面と所定の間隔を持たせて備えられる発光素子取付体とからなる発光部を備え、該発光部における前記素子取付体の表面に、赤外線信号を発信する赤外線ＬＥＤ素子を、取付体表面に対して直角になるように取り付けることで、設計・組立が容易になり望ましい。また、赤外線ＬＥＤ素子を、素子取付体の断面長径部側を密に、断面短径部側を粗になるように取り付けることで、赤外線信号の送信域を広くすることができて望ましい。
【発明の効果】
【００１０】
本発明の音声伝達装置によれば、広い空間に複数の送信部を設置する場合に、個々の発光ユニットから送信される赤外線信号の位相ずれが生じることなく、受信部でのビートの発生を防止することができる。また、発光ユニットを変調ユニットを中心にして複数接続したので、ケーブルの引き回しが面倒にならず、高周波の減衰も起こらない。
【発明を実施するための最良の形態】
【００１１】
テレビ等の音響機器からの音声を光（赤外線）を媒体として伝搬する装置であって、公共施設や病院の待合室のような広い空間をカバーできるように、光による送信装置を天井や壁面高所に複数取り付け、どこでも鮮明な音声信号を受信できるようにする。
【実施例１】
【００１２】
以下、本発明の実施例１について図面を基に説明する。図１は実施例１の音声伝達装置のブロック図である。
本発明に係る音声伝達装置は、音声信号を含む赤外線信号を送信する送信装置１と、この送信装置１が発信する赤外線信号を受信して音声信号を出力する受信装置２とから構成されている。すなわち、この音声伝達装置は、音響機器に接続した送信装置１において、音声信号を赤外線信号に変換して送信し、その赤外線信号を受信装置２で受信して音声として再生するものであり、ワイヤレスで音声信号の授受が行われる。
【００１３】
送信装置１は、電源入切及び電流変換を行う電源ユニット３と、音響機器の音声信号を変調する変調ユニット４と、変調した音声信号を赤外線発光する赤外線発光ユニット５を備えている。
【００１４】
電源ユニット３は、商用交流電源ＶをＤＣ電源に変換するＡＣ−ＤＣ変換部９と、音響機器Ｔ（例えば、テレビ）からの音声が入切するのに合わせて電源を入切する切替部１０を備えている。変調ユニット４は、音響機器Ｔからの音声信号に２．３ＭＨｚの音声搬送波を加えてＦＭ変調する発信・変調部１１と、ＦＭ変調された音声信号を増幅する増幅部１２と、ＲＦ信号とＤＣ電源を混合する混合部１３と、複数（ここでは４個）の出力端子１４-1〜１４-4を備えている。赤外線発光ユニット５は、複数の赤外線ＬＥＤを配列した発光部１５と、変調ユニット４からの単芯同軸ケーブルを介して送られる信号をＲＦ信号とＤＣ電源とに分離する分離部１６と、ＲＦ信号をＬＥＤ駆動信号に増幅する増幅部１７と、発光部１５を駆動するＬＥＤ駆動部１８を備えている。
【００１５】
受信装置２は、送信装置１の発光部１５からの赤外線信号を受信する赤外線受光部１９と、受光部１９で受信した赤外線信号を適宜の音声信号に復元する音声復元部２０と、音声復元部２０で復元した音声信号を再生するスピーカ２１とを備えている。
【００１６】
赤外線受光部１９は、受信装置２の筐体表面に間隔を持たせて複数個配設される受光素子からなり、この受光素子が配設された面は半透過性のカバーにより覆われている。音声復元部２０は、受光部１９で受信した赤外線信号を音声信号に復調する復調部２２と、復調された音声信号を増幅する増幅部２３と、聞き取りやすい高音域を強調する高域信号増幅部２４を備えている。スピーカ２１は、受信装置２の筐体表面に設けられ、通常は増幅部２３からの音声信号を再生し、筐体上に備えた音域強調スイッチ２５が入力されると高域信号増幅部２４に切り替えられるようになっている。
【００１７】
図２は送信装置１の赤外線発光ユニット５における発光部１５の構成を示す説明図である。
発光部１５は、透明略半球状に形成されたカバー１５ａと、カバー１５ａの内側でこのカバーと同心となる半球状に形成された素子取付体１５ｂと、素子取付体１５ｂの表面に複数（ここでは１６個）埋設される赤外線ＬＥＤ素子１５ｃ．．．とから構成されている。赤外線ＬＥＤ素子１５ｃは、素子取付体１５ｂに対して垂直になるように、取付体１５ｂの断面長径側に１２個、短径側に４個それぞれ等間隔に取り付けられている。この構成により、赤外線ＬＥＤ素子１５ｃからの赤外線信号は広範囲に渡って指向し広域な赤外線信号の受信範囲が確保される。また、各素子の取付位置は、取付体１５の曲率により決定されるので、設計・組立が容易となる。
【００１８】
図３は受信装置２の外観を示す説明図である。
この受信装置２は、本出願人が登録実用新案第３０５３６８０号で提案したものと同じである。すなわち、筐体の一部に円形の収納部２６を形成し、収納部２６の開口縁に複数の受光素子を内蔵して半透明のカバー２７を取り付けている。表面にはスピーカ１９と、電源スイッチ２８と、音量調整つまみ２９と、音域強調スイッチ２５とを備えている。
【００１９】
このように構成する実施例１の音声伝達装置の使用例を、図４・５を用いて説明する。
まず、送信装置１の電源ユニット３に電源及びテレビの音声端子を接続し、この電源ユニット３と変調ユニット４とをケーブルＣ１で接続する。次に、変調ユニット４を、聴取エリアＡの天部中心に設置して、この変調ユニット４に赤外線発光ユニット５を単芯同軸ケーブルＣ２を介して接続する。ここで、赤外線発光ユニット５は、最大４個まで接続できるようになっているので、各赤外線ユニット５-1〜５-4を変調ユニット４から放射状に広げた状態にして天井面の各所に取り付ける。こうして、各赤外線発光ユニット５-1〜５-4を中心にした発信エリアＳ-1〜Ｓ-4が形成され、待合室全体が聴取エリアＡになる。
【００２０】
こうして、形成される聴取エリアＡに、受信装置２を配置すると、赤外線発光ユニット５からの赤外線信号を受信して音声信号として再生させることができる。複数の赤外線発光ユニット５-1〜５-4から送信される赤外線信号は、それぞれ重複した状態で待合室空間に混在することになるが、１つの変調ユニット４によって変調された音声信号を、赤外線発光ユニット５から同時に発信するようにしたので、各発光ユニット５からの赤外線信号に位相差が生じなくなり、受信装置２でビートが発生するという問題が無く、鮮明な音声を再生することができる。
【００２１】
また、変調ユニット４を聴取エリアＡの中心に設置し、各赤外線発光ユニット５-1〜５-4までをほぼ同一の長さで比較的短い単芯同軸ケーブルＣ２で接続したので、高周波の減衰が小さくて済み、設置時の引き回しも簡単にできる。
【００２２】
本発明は以上のように構成されるものであるが、上記実施例１の構成に限定されず、請求項を逸脱しない範囲で様々な実施態様が考えられる。むろん、発光ユニットの数や、発光素子の数は限定されるものではなく、図２に示した発光ユニットの発光部の構成、図３に示した受光装置の構成も限定されない。例えば、発光部は、半球状ではなく１／４球にして壁などの垂直面に取り付けるようにしてもよい。また、受信装置は個人的に所有した端末（携帯電話や補聴器）としてもよい。
【産業上の利用可能性】
【００２３】
公共施設・病院等の待合室に設置される大型画面のテレビの音声を耳元近くで再生するワイヤレスの音声伝達装置に利用される。
【図面の簡単な説明】
【００２４】
【図１】実施例１のブロック図である。
【図２】送信装置１の発光部１５の構成を示す説明図である。
【図３】受信装置２の外観を示す説明図である。
【図４】実施例１の設置例を示す説明図である。
【図５】実施例１の使用例を示す説明図である。
【符号の説明】
【００２５】
１    送信装置
２    受信装置
３    電源ユニット
４    変調ユニット
５    赤外線発光ユニット
１９  赤外線受光部
２０  音声復元部
２１  スピーカ
【図１】
2006229796.tif 000003
【図２】
2006229796.tif 000004
【図３】
2006229796.tif 000005
【図４】
2006229796.tif 000006
【図５】
2006229796.tif 000007